(57)【要約】【課題】Ｅ−ＤＣＨが使用されても、送信電力を適切な値に制御することが可能な無線通信システムを提供する。【解決手段】無線基地局装置２０１は、受信したユーザデータの再送回数を計数し、その再送回数を無線ネットワーク制御装置１０１に送信する。無線ネットワーク制御装置１０１は、その再送回数に基づいて、目標ＳＩＲを計算し、その目標ＳＩＲを無線基地局装置２０１に送信する。無線基地局装置２０１は、その目標ＳＩＲに基づいて、携帯端末３０１の送信電力を制御する。【選択図】図１
2008118514.tif 000002
【特許請求の範囲】
【請求項１】
携帯端末と接続された無線基地局装置と、前記無線基地局装置に接続された無線制御装置とを含む無線通信システムであって、
前記無線基地局装置は、
前記携帯端末からデータを受信する第一受付部と、
前記第一受付部が受信したデータの再送回数を計数する制御部と、
前記制御部が計数した再送回数を前記無線制御装置に送信する出力部と、
前記無線制御装置から、データの通信品質の目標値を受信する第二受付部と、
前記第二受付部が受信した目標値に基づいて、前記携帯端末の送信電力を制御する電力制御部と、を含み、
前記無線制御装置は、
前記無線基地局装置から前記再送回数を受信する受信部と、
前記受信部が受信した再送回数に基づいて、前記目標値を計算する計算部と、
前記計算部が計算した目標値を前記無線基地局装置に送信する送信部と、を含む無線通信システム。
【請求項２】
請求項１に記載の無線通信システムにおいて、
前記無線制御装置は、現在の目標値および基準回数を記憶する記憶部を含み、
前記計算部は、前記受信部が受信した再送回数が前記基準回数より大きいと、前記現在の目標値より大きい値を前記目標値として計算し、また、前記受信部が受信した再送回数が前記基準回数より小さいと、前記現在の目標値より小さい値を前記目標値として計算する、無線通信システム。
【請求項３】
請求項１または２に記載の無線通信システムにおいて、
前記無線制御装置は、他の無線基地局装置と接続され、
前記送信部は、前記目標値をフレームプロトコルの個別チャネルで、前記無線基地局装置および前記他の無線基地局装置に送信する、無線通信システム。
【請求項４】
携帯端末の送信電力をデータの通信品質の目標値に基づいて制御する無線基地局装置と接続された無線制御装置であって、
前記無線基地局装置から、データの再送回数を受信する受信部と、
前記受信部が受信した再送回数に基づいて、前記目標値を計算する計算部と、
前記計算部が計算した目標値を前記無線基地局装置に送信する送信部と、を含む無線制御装置。
【請求項５】
請求項４に記載の無線制御装置において、
現在の目標値および基準回数を記憶する記憶部を含み、
前記計算部は、前記受信部が受信した再送回数が前記基準回数より大きいと、前記現在の目標値より大きい値を前記目標値として計算し、また、前記受信部が受信した再送回数が前記基準回数より小さいと、前記現在の目標値より小さい値を前記目標値として計算する、無線制御装置。
【請求項６】
請求項４または５に記載の無線制御装置において、
他の無線基地局装置と接続され、
前記送信部は、前記目標値をフレームプロトコルの個別チャネルで、前記無線基地局装置および前記他の無線基地局装置に送信する、無線制御装置。
【請求項７】
携帯端末と、データの通信品質の目標値をデータの再送回数に基づいて計算する無線制御装置と、に接続された無線基地局装置であって、
前記携帯端末から前記データを受信する第一受付部と、
前記第一受付部が受信したデータの再送回数を計数する制御部と、
前記制御部が計数した再送回数を前記無線制御装置に送信する出力部と、
前記無線制御装置から、前記目標値を受信する第二受付部と、
前記第二受付部が受信した目標値に基づいて、前記携帯端末の送信電力を制御する電力制御部と、を含む無線基地局装置。
【請求項８】
携帯端末と接続された無線基地局装置と、前記無線基地局装置に接続された無線制御装置とを含む無線通信システムが行なう電力制御方法であって、
前記無線基地局装置が、前記携帯端末からデータを受信する第一受付ステップと、
前記無線基地局装置が、前記受信されたデータの再送回数を計数する計数ステップと、
前記無線基地局装置が、前記計数された再送回数を前記無線制御装置に送信する出力ステップと、
前記無線制御装置が、前記無線基地局装置から前記再送回数を受信する受信ステップと、
前記無線制御装置が、前記受信された再送回数に基づいて、データの通信品質の目標値を計算する計算ステップと、
前記無線制御装置が、前記計算された目標値を前記無線基地局装置に送信する送信ステップと、
前記無線基地局装置が、前記無線制御装置から、前記目標値を受信する第二受付ステップと、
前記無線基地局装置が、前記受信された目標値に基づいて、前記携帯端末の送信電力を制御する電力制御ステップと、を含む電力制御方法。
【請求項９】
請求項８に記載の電力制御方法において、
前記無線制御装置は、現在の目標値および基準回数を記憶する記憶部を含み、
前記計算ステップは、
前記無線制御装置が、前記受信された再送回数が前記基準回数より大きいと、前記現在の目標値より大きい値を前記目標値として計算する増加ステップと、
前記無線制御装置が、前記受信された再送回数が前記基準回数より小さいと、前記現在の目標値より小さい値を前記目標値として計算する減少ステップと、を含む、電力制御方法。
【請求項１０】
請求項８または９に記載の電力制御方法において、
前記無線制御装置は、他の無線基地局装置と接続され、
前記送信ステップでは、前記目標値をフレームプロトコルの個別チャネルで、前記無線基地局装置および前記他の無線基地局装置に送信する、電力制御方法。
【請求項１１】
携帯端末の送信電力をデータの通信品質の目標値に基づいて制御する無線基地局装置、と接続された無線制御装置が行なう電力制御方法であって、
前記無線基地局装置から、データの再送回数を受信する受信ステップと、
前記受信された再送回数に基づいて、前記目標値を計算する計算ステップと、
前記計算された目標値を前記無線基地局装置に送信する送信ステップと、を含む電力制御方法。
【請求項１２】
請求項１１に記載の電力制御方法において、
前記無線制御装置は、現在の目標値および基準回数を記憶する記憶部を含み、
前記計算ステップは、
前記受信された再送回数が前記基準回数より大きいと、前記現在の目標値より大きい値を前記目標値として計算する増加ステップと、
前記受信された再送回数が前記基準回数より小さいと、前記現在の目標値より小さい値を前記目標値として計算する減少ステップと、を含む、電力制御方法。
【請求項１３】
請求項１１または１２に記載の電力制御方法において、
前記無線制御装置は、他の無線基地局装置と接続され、
前記送信ステップでは、前記目標値をフレームプロトコルの個別チャネルで、前記無線基地局装置および前記他の無線基地局装置に送信する、電力制御方法。
【請求項１４】
携帯端末と、データの通信品質の目標値をデータの再送回数に基づいて計算する無線制御装置と、に接続された無線基地局装置が行なう電力制御方法であって、
前記携帯端末から前記データを受信する第一受付ステップと、
前記受信されたデータの再送回数を計数する計数ステップと、
前記計数された再送回数を前記無線制御装置に送信する出力ステップと、
前記無線制御装置から、前記目標値を受信する第二受付ステップと、
前記受信された目標値に基づいて、前記携帯端末の送信電力を制御する電力制御ステップと、を含む電力制御方法。
【発明の詳細な説明】
【技術分野】
【０００１】
本発明は、アウターループ電力制御を行なう無線通信システム、無線制御装置、無線基地局装置および電力制御方法に関する。
【背景技術】
【０００２】
Ｗ−ＣＤＭＡ（広帯域符号分割多重接続：Wideband−Codｅ Division Multiple Access)移動通信システムでは、無線基地局装置（ＮｏｄｅＢ）および携帯端末（ＵＥ：User Equipment）が個別チャネル（Dedicated Channel）を用いて通信を行なうときの電力が、最適な大きさになるように制御されている。
【０００３】
この電力の制御には、アウターループ電力制御（ＯＬＰＣ：Outer Loop Power Control）と、インナーループ電力制御（ＩＬＰＣ：Inner Loop Power Control）とがある。
【０００４】
インナーループ電力制御では、通信品質（希望波信号対干渉波信号電力比（ＳＩＲ：Signal to Interference Ratio））の目標値に基づいて、送信電力を制御する。また、アウターループ電力制御では、その通信品質の目標値（以下、目標ＳＩＲと称する）を更新する。
【０００５】
また、無線基地局装置および携帯端末が行なう通信には、無線基地局装置から携帯端末に情報を送信する下り方向の通信（Ｄｏｗｎｌｉｎｋ）と、携帯端末から無線基地局装置に情報を送信する上り方向の通信（Ｕｐｌｉｎｋ）との２方向の通信がある。アウターループ電力制御およびインナーループ電力制御のそれぞれは、下り方向の通信および上り方向の通信のそれぞれに用いられる。
【０００６】
図９は、従来のＷ−ＣＤＭＡ移動通信システムを示したブロック図である。以下、図９を参照にして、上り方向の通信における電力制御を説明する。
【０００７】
図９において、Ｗ−ＣＤＭＡ移動通信システムは、無線基地局装置（ＮｏｄｅＢ）１と、無線ネットワーク制御装置（ＲＮＣ：Radio Network Controller）２とを含む。
【０００８】
無線基地局装置１は、携帯端末（図示せず）から受信したデータの誤りの有無を、ＣＲＣ（Cyclic Redundancy Checksum：巡回冗長検査）を行い検査する。無線基地局装置１は、その検査結果を、ＤＣＨ−ＦＰ（Dedicated Channel-Frame Protocol：フレームプロトコルの個別チャネル）で無線ネットワーク制御装置２に通知する。
【０００９】
無線ネットワーク制御装置２は、その検査結果に基づいて、上り方向の通信の目標ＳＩＲを計算する。例えば、無線ネットワーク制御装置２は、その検査結果が受信データの誤り有りを示すと、現在の通信品質の目標値より高い値を、目標値として計算する。これは、その誤りを少なくするためである。
【００１０】
無線ネットワーク制御装置２は、その目標ＳＩＲを、ＤＣＨ−ＦＰで無線基地局装置１に通知する。
【００１１】
無線基地局装置１は、その目標ＳＩＲ値に応じて、携帯端末の送信電力を制御する。
【００１２】
具体的には、無線基地局装置１は、携帯端末から受信したデータの通信品質（以下、受信ＳＩＲと称する）を測定し、その受信ＳＩＲが目標ＳＩＲになるように、携帯端末の送信電力を制御する。例えば、無線基地局装置１は、その受信ＳＩＲが目標ＳＩＲ未満であると、送信電力の増加を示すＴＰＣ（Transmission Power Control）ビットを携帯端末に出力し、一方、その受信ＳＩＲが目標ＳＩＲ以上であると、送信電力の減少を示すＴＰＣビットを携帯端末に出力する。携帯端末は、送信電力の増加を示すＴＰＣビットを受信すると、送信電力を上げ、送信電力の減少を示すＴＰＣビットを受信すると、送信電力を下げる。
【００１３】
もし、アウターループ電力制御で目標ＳＩＲが更新されなければ、携帯端末が必要以上に大きな電力でデータを送信し、無線基地局装置１のセル内の複数の携帯端末からの信号の干渉量が増加し、通信可能な携帯端末の数が減少するかもしれない。また、携帯端末が無線基地局装置１側でデータを正常に復号するのに必要な電力より小さい電力でデータを送信し、データの再送が要求され、データの伝送に遅延が起こるかもしれない。
【００１４】
近年、Ｗ−ＣＤＭＡ移動通信では、通信の高速化を図るために、既存のＤＣＨを拡張したＥ−ＤＣＨ（高速化した個別チャネル：Enhanced Dedicated Channel）サービスが用いられている。Ｅ−ＤＣＨサービスでは、物理レイヤーにてＨ−ＡＲＱ（Hybrid Automatic Repeat Request）が使用され、受信データが誤りだった場合、データが再送される。
【００１５】
Ｈ−ＡＲＱでは、無線基地局装置は、携帯端末からデータが正常に受信されないと、正常に受信されなかったことを示す応答信号（ＮＡＣＫ（Negative Acknowledgement）信号）を携帯端末に通知し、携帯端末にそのデータを再送信させる。
【００１６】
また、無線基地局装置は、予め定められた回数、または、そのデータを正常に受信するまで、ＮＡＣＫ信号の送信を繰り返す。無線基地局装置は、そのデータを正常に受信すると、データが正常に受信されたことを示す応答信号（ＡＣＫ（Acknowledgement）信号）を送信し、携帯端末によるデータの再送信を停止させる。
【００１７】
携帯端末は、ＮＡＣＫ信号を受信するたびにデータを送信するが、その電力が適切な値でないと、無線リソースの利用効率が低下するなどの問題点があった。例えば、その電力が小さすぎると、携帯端末は、データを何度も再送してしまう。
【００１８】
特許文献１（特開２００４−１２８９３号公報）には、Ｈ−ＡＲＱが使用されている場合に、無線リソースの利用効率を向上させることが可能な送信電力制御方法が記載されている。
【００１９】
従来、上り方向の通信において、携帯端末は、目標ＳＩＲに応じた電力に、若干の余裕（以下、マージンと称する）を付与した電力でデータを送信するのが一般的である。
【００２０】
特許文献１に記載の送信電力制御方法では、上り方向の通信において、携帯端末が、データの再送回数に応じてそのマージンを変更する。例えば、携帯端末は、再送回数が増えると、マージンを増やす。これにより、例えば、再送回数を軽減することが可能になり、
無線リソースの利用効率を向上させることが可能になっている。
【特許文献１】特開２００４−１２８９９３号公報
【発明の開示】
【発明が解決しようとする課題】
【００２１】
特許文献１に記載の送信電力制御方法では、Ｈ−ＡＲＱが使用されている場合でも、目標ＳＩＲの更新には、従来のアウターループ電力制御が用いられている。このため、以下の問題点がある。
【００２２】
例えば、Ｅ−ＤＣＨが使用されると、ＤＣＨは、ＳＲＢ（シグナリング無線ベアラ：Signaling Radio Bearer)を設定するだけの目的で使用されるため、ＳＲＢの使用頻度にＳＩＲの更新頻度が依存する。
【００２３】
ＳＲＢの使用頻度は低いため、無線基地局装置がＤＣＨにて受信したデータにＣＲＣを行なっても、ＣＲＣが行なわれる回数が減少し、目標ＳＩＲの更新頻度が減少する。このため、携帯端末の送信電力が適切な値にならず、例えば、無線基地局装置のセル内の信号の干渉量が増加して、そのセル内で使用可能な携帯端末の数が減少するかもしれない。
【００２４】
このため、無線基地局装置が、ＤＣＨにて受信されたデータに対してだけＣＲＣが行なわれると、ＣＲＣを行なう回数が減少し、目標ＳＩＲを更新する頻度が減少する。
【００２５】
また、無線基地局装置が、Ｅ−ＤＣＨにて受信されたデータに対してＣＲＣを行なう場合でも、そのＣＲＣは、その予め定められた回数、または、そのデータが正常に受信されるまで再送信されたデータに対して行なわれる。このため、そのＣＲＣの検査結果が誤り有りを示すことが少なくなり、目標ＳＩＲが必要な値より小さく設定される可能性がある。これにより、携帯端末は、必要な電力より小さい電力でデータを送信し、データの再送が多くなり、データの通信の遅延が起こるかもしれない。
【００２６】
本発明の目的は、Ｅ−ＤＣＨが使用されても、送信電力を適切な値に制御することが可能な無線通信システム、無線制御装置、無線基地局装置および電力制御方法を提供することである。
【課題を解決するための手段】
【００２７】
上記の目的を達成するために、本発明の無線通信システムは、携帯端末と接続された無線基地局装置と、前記無線基地局装置に接続された無線制御装置とを含む無線通信システムであって、前記無線基地局装置は、前記携帯端末からデータを受信する第一受付部と、前記第一受付部が受信したデータの再送回数を計数する制御部と、前記制御部が計数した再送回数を前記無線制御装置に送信する出力部と、前記無線制御装置から、データの通信品質の目標値を受信する第二受付部と、前記第二受付部が受信した目標値に基づいて、前記携帯端末の送信電力を制御する電力制御部と、を含み、前記無線制御装置は、前記無線基地局装置から前記再送回数を受信する受信部と、前記受信部が受信した再送回数に基づいて、前記目標値を計算する計算部と、前記計算部が計算した目標値を前記無線基地局装置に送信する送信部と、を含む。
【００２８】
また、本発明の電力制御方法は、携帯端末と接続された無線基地局装置と、前記無線基地局装置に接続された無線制御装置とを含む無線通信システムが行なう電力制御方法であって、前記無線基地局装置が、前記携帯端末から前記データを受信する第一受付ステップと、前記無線基地局装置が、前記受信されたデータの再送回数を計数する計数ステップと、前記無線基地局装置が、前記計数された再送回数を前記無線制御装置に送信する出力ステップと、前記無線制御装置が、前記無線基地局装置から前記再送回数を受信する受信ステップと、前記無線制御装置が、前記受信された再送回数に基づいて、データの通信品質の目標値を計算する計算ステップと、前記無線制御装置が、前記計算された目標値を前記無線基地局装置に送信する送信ステップと、前記無線基地局装置が、前記無線制御装置から、前記目標値を受信する第二受付ステップと、前記無線基地局装置が、前記受信された目標値に基づいて、前記携帯端末の送信電力を制御する電力制御ステップと、を含む。
【００２９】
また、本発明の無線制御装置は、携帯端末の送信電力をデータの通信品質の目標値に基づいて制御する無線基地局装置と接続された無線制御装置であって、前記無線基地局装置から、データの再送回数を受信する受信部と、前記受信部が受信した再送回数に基づいて、前記目標値を計算する計算部と、前記計算部が計算した目標値を前記無線基地局装置に送信する送信部と、を含む。
【００３０】
また、本発明の無線制御装置が行なう電力制御方法は、携帯端末の送信電力をデータの通信品質の目標値に基づいて制御する無線基地局装置、と接続された無線制御装置が行なう電力制御方法であって、前記無線基地局装置から、データの再送回数を受信する受信ステップと、前記受信された再送回数に基づいて、前記目標値を計算する計算ステップと、前記計算された目標値を前記無線基地局装置に送信する送信ステップと、を含む。
【００３１】
また、本発明の無線基地局装置は、携帯端末と、データの通信品質の目標値をデータの再送回数に基づいて計算する無線制御装置と、に接続された無線基地局装置であって、前記携帯端末から前記データを受信する第一受付部と、前記第一受付部が受信したデータの再送回数を計数する制御部と、前記制御部が計数した再送回数を前記無線制御装置に送信する出力部と、前記無線制御装置から、前記目標値を受信する第二受付部と、前記第二受付部が受信した目標値に基づいて、前記携帯端末の送信電力を制御する電力制御部と、を含む。
【００３２】
また、本発明の無線基地局装置が行なう電力制御方法は、携帯端末と、データの通信品質の目標値をデータの再送回数に基づいて計算する無線制御装置と、に接続された無線基地局装置が行なう電力制御方法であって、前記携帯端末から前記データを受信する第一受付ステップと、前記受信されたデータの再送回数を計数する計数ステップと、前記計数された再送回数を前記無線制御装置に送信する出力ステップと、前記無線制御装置から、前記目標値を受信する第二受付ステップと、前記受信された目標値に基づいて、前記携帯端末の送信電力を制御する電力制御ステップと、を含む。
【００３３】
上記の発明によれば、データの通信品質の目標値が、データの再送回数に基づいて計算される。データの再送回数は、データが正常に受信されなかった回数を表すため、再送回数が多いほど通信品質が悪いことを表す。つまり、再送回数は、現在の通信品質に依存する。
【００３４】
このため、Ｅ−ＤＣＨが使用されても、送信電力を適切な値に制御することが可能になる。
【００３５】
また、前記無線制御装置は、現在の目標値および基準回数を記憶する記憶部を含み、前記計算部は、前記受信部が受信した再送回数が前記基準回数より大きいと、前記現在の目標値より大きい値を前記目標値として計算し、また、前記受信部が受信した再送回数が前記基準回数より小さいと、前記現在の目標値より小さい値を前記目標値として計算することが望ましい。
【００３６】
上記の発明によれば、通信品質の目標値が、再送回数が基準回数より大きいと、現在の目標値より大きくなり、再送回数が基準回数より小さいと、現在の目標値より小さくなる。
【００３７】
このため、容易に通信品質の目標値を適切な値にすることが可能になる。
【００３８】
また、前記無線制御装置は、他の無線基地局装置と接続され、前記送信部は、前記目標値をフレームプロトコルの個別チャネルで、前記無線基地局装置および前記他の無線基地局装置に送信することが可能になる。
【００３９】
上記の発明によれば、通信品質の目標値が、再送回数が計数されて無線基地局装置だけでなく、他の無線基地局装置にも送信する。
【００４０】
このため、例えば、Ｈ−ＡＲＱが使用されていない無線基地局装置などの、再送回数を計数していない無線基地局装置に対しても、通信品質の目標値を同時に送信することが可能になる。
【発明の効果】
【００４１】
本発明によれば、Ｅ−ＤＣＨが使用されても、送信電力を適切な値に制御することが可能になる。
【発明を実施するための最良の形態】
【００４２】
以下、本発明の実施例について図面を参照して説明する。
【００４３】
図１は、本発明の一実施例の無線通信システムを示したブロック図である。
【００４４】
図１において、無線通信システムは、無線ネットワーク制御装置１０１と、無線基地局装置２０１と、携帯端末３０１とを含む。
【００４５】
無線ネットワーク制御装置（ＲＮＣ）１０１は、無線基地局装置（ＮｏｄｅＢ）２０１およびコアネットワーク（ＣＮ：Core Network）４０１に、例えば、光ファイバーなどの有線回線を介して相互に接続される。
【００４６】
無線基地局装置２０１は、携帯端末（ＵＥ）３０１と無線にて相互に接続される。
【００４７】
無線基地局装置２０１および携帯端末３０１の下り方向の通信には、ＨＳＤＰＡ（High Speed Downlink Packet Access）サービスが提供され、その上り方向の通信には、Ｅ−ＤＣＨサービス（高速化した個別チャネル）が提供される。
【００４８】
先ず、本実施例の概要について説明する。
【００４９】
図２は、無線通信システムの無線ネットワーク制御装置１０１および無線基地局装置２０１を示したブロック図である。
【００５０】
また、無線基地局装置２０１は、携帯端末３０１からＥ−ＤＣＨで受信したデータの再送回数（ＮＨＲ：Number of H-ARQ Retransmissions）を計数し、その再送回数をＥ−ＤＣＨ−ＦＰ（フレームプロトコルの高速化した個別チャネル）で無線ネットワーク制御装置１０１に送信する。なお、無線基地局装置２０１は、データが正常に受信されないと、携帯端末３０１にそのデータを再送させるので、データの再送回数は、そのデータが正常に受信されなかった回数を表す。このため、再送回数が多いほど通信品質が悪いことを表す。つまり、再送回数は、現在の通信品質に依存する。
【００５１】
無線ネットワーク制御装置１０１は、その再送回数を受信すると、その再送回数に基づいて、データの通信品質（ＳＩＲ）の目標値を計算する。以下、通信品質の目標値を目標ＳＩＲと称する。
【００５２】
無線ネットワーク制御装置１０１は、その目標ＳＩＲを無線基地局装置２０１に、ＤＣＨ−ＦＰ（フレームプロトコルの個別チャネル）で送信する。
【００５３】
無線基地局装置２０１は、その目標ＳＩＲを受信すると、その目標ＳＩＲに基づいて、携帯端末３０１の送信電力を制御する。
【００５４】
図３ａは、無線通信システムで用いられる通信チャネルの一例を説明するための説明図である。図３ａでは、無線通信システムの、無線ネットワーク制御装置１０１と、無線基地局装置２０１と、携帯端末３０１とが示されている。
【００５５】
無線ネットワーク制御装置１０１、無線基地局装置２０１および携帯端末３０１が行なう通信では、トランスポートチャネルとして、ＤＣＨ（個別チャネル）と、Ｅ−ＤＣＨと、ＨＳＤＰＡサービスで使用されるＨＳ−ＤＳＣＨ（高速化した共有チャネル）とが用いられる。
【００５６】
先ず、無線ネットワーク制御装置１０１および無線基地局装置２０１間（ｌｕｂ）の通信について説明する。
【００５７】
無線ネットワーク制御装置１０１は、ＳＲＢのデータおよび目標ＳＩＲの送信のためＤＣＨ−ＦＰ（フレームプロトコルの個別チャネル）１５５を用いる。また、無線ネットワーク制御装置１０１は、ユーザデータを送信するために、ＨＳ−ＤＳＣＨ―ＦＰ（フレームプロトコルの高速化した共有チャネル）１５６を用いる。
【００５８】
また、無線基地局装置２０１は、ＳＲＢのデータの送信のためにＤＣＨ−ＦＰ２７５を用いる。また、無線基地局装置２０１は、ユーザデータおよび再送回数を送信するために、Ｅ−ＤＣＨ−ＦＰ（フレームプロトコルの高速化した個別チャネル）２７６を用いる。      
【００５９】
次に、無線基地局装置２０１および携帯端末３０１間（Ｕｕ）の通信について説明する。
【００６０】
Ｕｕの下り方向の通信では、ＤＣＨ２５５と、ＨＳ−ＤＳＣＨ２５６と、Ｅ−ＤＣＨ２５７が用いられる。
【００６１】
無線基地局装置２０１は、ＳＲＢの設定情報およびＴＰＣビットの送信のためにＤＣＨ２５５を用いる。具体的には、無線基地局装置２０１は、ＴＰＣビットの送信には、ＤＣＨ２５５がマッピングされた物理チャネル（ＤＰＣＣＨ）を用いる。
【００６２】
図３ｂは、トランスポートチャネルおよび物理チャネルの対応を示した説明図である。
【００６３】
図３ｂでは、トランスポートチャネルの物理チャネルへのマッピングが示されている。トランスポートチャネルとして、本実施例で用いるＤＣＨ、Ｅ−ＤＣＨおよびＨＳ−ＤＳＣＨが示されている。また、トランスポートチャネルがマッピングされる物理チャネルが、トランスポートチャネルごとに示されている。
【００６４】
なお、図３において、ＤＬは、下り方向の通信に使用される物理チャネルを示し、ＵＬは、上り方向の通信に使用される物理チャネルを示している。また、ＤＬ／ＵＬが、下り方向の通信および上り方向の通信に使用される物理チャネルを示している。
【００６５】
無線基地局装置２０１は、ユーザデータを送信するために、ＨＳ−ＤＳＣＨ２５６を用いる。
【００６６】
また、無線基地局装置２０１は、応答信号（ＡＣＫ信号およびＮＡＣＫ信号）の送信のためにＥ−ＤＣＨ２５７を用いる。具体的には、無線基地局装置２０１は、応答信号の送信には、Ｅ−ＤＣＨ２５７がマッピングされた物理チャネル（Ｅ−ＨＩＣＨ（E-DCH Hybrid ARQ Indicator Channel））を用いる。
【００６７】
また、携帯端末３０１は、ＳＲＢの設定のためにＤＣＨ３５５を用いる。また、携帯端末３０１は、ユーザデータを送信するためにＥ−ＤＣＨ３５６を用いる。
【００６８】
以下、下り方向のユーザデータの通信、および、ＳＲＢの設定については、従来のものと同じであり、また、本発明と直接関係しないので説明を省略する。
【００６９】
図４は、無線ネットワーク制御装置１０１の構成の一例を示したブロック図である。
【００７０】
図４において、無線ネットワーク制御装置１０１は、受信部１１１と、処理部１１２と、記憶部１１３と、更新部１１４と、送信部１１５と、制御送信部１１６とを含む。
【００７１】
受信部１１１は、無線基地局装置２０１から、ユーザデータと再送回数とを受信する。
【００７２】
処理部１１２は、その受信されたユーザデータを、制御送信部１１６に出力する。
【００７３】
記憶部１１３は、現在の目標ＳＩＲと、判定回数と、基準回数（ＮＨＲｔｈ）とを記憶する。
【００７４】
更新部１１４は、その受信された再送回数に基づいて、目標ＳＩＲを計算する。具体的には、更新部１１４は、以下の処理を行なう。
【００７５】
先ず、更新部１１４は、その再送回数が記憶部１１３に記憶された判定回数以上か否かを判定する。なお、判定回数は、本実施例では、１３とする。これは、３ＧＰＰ規格Ｒｅｌｅａｓｅ６（3GPP TS25.427 V6.6.0(3rd Generation Partnership Project; Technical Specification Group Radio Access Network; UTRAN Iub/Iur interface user plane protocol for DCH data streams (Release 6))において、再送回数は、０ないし１５で規定されているが、再送回数「１３」または「１４」は予備として用いられるため使用されていない。また、再送回数「１５」は、再送回数が不明な際に使用されることになっているからである。
【００７６】
再送回数が判定回数「１３」未満であると、更新部１１４は、その再送回数が記憶部１１３に記憶された基準回数より大きいか、等しいか、または、小さいかを判定する。
【００７７】
この基準回数に応じて、目標ＳＩＲが上がりやすくなるか、または、下がりやすくなるかが決定される。例えば、この基準回数が大きくなると、目標ＳＩＲが下がりやすくなり、この基準回数が小さくなると、目標ＳＩＲが上がりやすくなる。なお、基準回数は、一定の値でもよいし、無線通信の通信状況などにより変化してもよい。本実施例では、基準回数は、無線通信の通信状況などにより変化するとする。
【００７８】
その再送回数がその基準回数より小さいと、更新部１１４は、記憶部１１３に記憶された目標ＳＩＲより小さい値を目標ＳＩＲとして計算する。具体的には、更新部１１４は、数１を用いて目標ＳＩＲを計算する。
【００７９】
【数１】
2008118514.tif 000003
数１において、ＵＬ ＳＩＲ Ｔａｒｇｅｔは、目標ＳＩＲであり、ＵＬ ＳＩＲ Ｔａｒｇｅｔ＿Ｏは、記憶部１１３に記憶された現在の目標ＳＩＲである。また、ΔおよびＣ１は、定数である。なお、Δは、正数であり、Ｃ１は、０ないし１の範囲の数である。Δが大きいほど、目標ＳＩＲの更新による変動率が大きくなる。
【００８０】
また、その再送回数が基準回数と等しいと、または、その再送回数が判定回数「１３」以上であると、更新部１１４は、記憶部１１３に記憶された現在の目標ＳＩＲを目標ＳＩＲとする。
【００８１】
また、その再送回数が基準回数より大きいと、更新部１１４は、記憶部１１３に記憶された現在の目標ＳＩＲより大きい値を目標ＳＩＲとして計算する。具体的には、更新部１１４は、数２を用いて目標ＳＩＲを計算する。
【００８２】
【数２】
2008118514.tif 000004
なお、数２において、数１と同じものには、同じ記号を用いている。
【００８３】
更新部１１４は、その目標ＳＩＲを計算すると、記憶部１１３に記憶された現在の目標ＳＩＲをその計算された目標ＳＩＲに更新する。
【００８４】
送信部１１５は、更新部１１４が計算した目標ＳＩＲを無線基地局装置２０１に送信する。
【００８５】
制御送信部１１６は、処理部１１２から受け付けたユーザデータをコアネットワーク４０１に送信する。
【００８６】
図５は、無線基地局装置２０１の構成の一例を示したブロック図である。
【００８７】
図５において、無線基地局装置２０１は、無線受信部２１１と、基地局記憶部２１２と、制御部２１３と、基地局送信部２１４と、基地局受信部２１５と、設定部２１６と、無線送信部２１７とを含む。
【００８８】
無線受信部２１１は、携帯端末３０１から、ユーザデータを受信する。
【００８９】
基地局記憶部２１２は、再送回数の上限値（ＮＨＲｍａｘ）を記憶する。
【００９０】
制御部２１３は、その受信されたユーザデータの再送回数を計数する。具体的には、制御部２１３は、以下の処理を行なう。
【００９１】
制御部２１３は、無線受信部２１１が受信したユーザデータが正常に受信されたか否かを判定する。例えば、制御部２１３は、そのユーザデータにＣＲＣを行い、そのユーザデータに誤りがあるか否かを判定する。制御部２１３は、そのユーザデータに誤りがない（ＣＲＣ＝ＯＫである）と、そのデータが正常に受信されたと判定し、一方、そのユーザデータに誤りがある（ＣＲＣ＝ＮＧである）と、そのユーザデータが正常に受信されていないと判定する。
【００９２】
そのユーザデータが正常に受信されていると、制御部２１３は、ＡＣＫ信号を生成し、そのＡＣＫ信号を、無線送信部２１７を介して携帯端末３０１に送信する。
【００９３】
一方、そのユーザデータが正常に受信されていないと、制御部２１３は、保持している再送回数が基地局記憶部２１２に記憶された上限値未満か否かを判定する。
【００９４】
その再送回数がその上限値未満であると、制御部２１３は、保持している再送回数を１だけ増やし、かつ、ＮＡＣＫ信号を生成する。制御部２１３は、そのＮＡＣＫ信号を、無線送信部２１７を介して携帯端末３０１に送信する。
【００９５】
基地局送信部２１４は、ユーザデータと、制御部２１３が計数した再送回数とを無線ネットワーク制御装置１０１に送信する。具体的には、基地局送信部２１４は、制御部２１３にてそのユーザデータが正常に受信されていない、または、その再送回数がその上限値以上であると判定されると、その再送回数を無線ネットワーク制御装置１０１に送信する。
【００９６】
基地局受信部２１５は、無線ネットワーク制御装置１０１から、目標ＳＩＲを受信する。
【００９７】
設定部２１６は、基地局受信部２１５が受信した目標ＳＩＲに基づいて、携帯端末３０１の送信電力を制御する。
【００９８】
具体的には、設定部２１６は、現在の目標ＳＩＲが設定され、基地局受信部２１５が目標ＳＩＲを受信すると、その受信された目標ＳＩＲに、設定されている現在の目標ＳＩＲを更新する。
【００９９】
また、設定部２１６は、無線受信部２１１が受信したユーザデータの受信ＳＩＲを測定し、その受信ＳＩＲが保持している目標ＳＩＲより大きいか否かを判定する。
【０１００】
設定部２１６は、その受信ＳＩＲがその目標ＳＩＲより大きいと、送信電力の増加を示すＴＰＣビットを生成し、一方、その受信ＳＩＲがその目標ＳＩＲ以下であると、送信電力の減少を示すＴＰＣビットを生成する。
【０１０１】
設定部２１６は、ＴＰＣビットを生成すると、そのＴＰＣビットを、無線送信部２１７を介して携帯端末３０１に送信する。
【０１０２】
携帯端末３０１は、無線基地局装置２０１にユーザデータを送信する。
【０１０３】
また、携帯端末３０１は、無線基地局装置２０１からＮＡＣＫ信号を受信すると、そのデータを再送する。さらに、携帯端末３０１は、無線基地局装置２０１からＡＣＫ信号を受信すると、次のデータを無線基地局装置２０１に送信する。
【０１０４】
また、携帯端末３０１は、無線基地局装置２０１からＴＰＣビットを受信すると、そのＴＰＣビットに従って、送信電力を変更する。具体的には、携帯端末３０１は、送信電力の増加を示すＴＰＣビットを受信すると、送信電力を上げ、一方、送信電力の減少を示すＴＰＣビットを受信すると、送信電力を下げる。
【０１０５】
次に動作を説明する。
【０１０６】
図６は、無線通信システムの動作を説明するためのフローチャートである。なお、ステップＦＢ１００は、主に無線基地局装置２０１が行なう処理であり、ステップＦＢ０１ないしＦＢ０９を含む。ステップＦＲ１００は、無線ネットワーク制御装置１０１が行なう処理であり、ステップＦＲ００ないしＦＲ０３を含む。
【０１０７】
ステップＦＢ００では、携帯端末３０１は、ユーザデータを、Ｅ−ＤＣＨ３５６で無線基地局装置２０１の無線受信部２１１に送信する。その後、無線受信部２１１がステップＦＢ０１を実行する。なお、制御部２１３は、保持している再送回数（ＮＨＲ）を０に初期化しているものとする。
【０１０８】
ステップＦＢ０１では、無線受信部２１１は、そのユーザデータを受信し、そのユーザデータを制御部２１３および設定部２１６に出力する。制御部２１３は、そのユーザデータを受け付けると、ステップＦＢ０２を実行する。
【０１０９】
ステップＦＢ０２では、制御部２１３は、そのユーザデータが正常に受信されたか否かを判定する。具体的には、制御部２１３は、そのユーザデータにＣＲＣを行い、そのユーザデータに誤りがあるか否かを判定する。制御部２１３は、そのユーザデータに誤りがないと、そのユーザデータが正常に受信されたと判定し、一方、そのユーザデータに誤りがあると、そのデータが正常に受信されていないと判定する。
【０１１０】
制御部２１３は、そのユーザデータが正常に受信されたと判定すると、ステップＦＢ０３を実行し、そのユーザデータが正常に受信されていないと判定すると、ステップＦＢ０５を実行する。
【０１１１】
ステップＦＢ０３では、制御部２１３は、ＡＣＫ信号を生成し、そのＡＣＫ信号を無線送信部２１７に出力する。無線送信部２１７は、そのＡＣＫ信号を受け付けると、そのＡＣＫ信号をＥ−ＤＣＨ２５７（具体的には、Ｅ−ＨＩＣＨ）で携帯端末３０１に送信する。
【０１１２】
携帯端末３０１は、そのＡＣＫ信号を受信すると、次のユーザデータを無線基地局装置２０１の無線受信部２１１に送信する。
【０１１３】
一方、制御部２１３は、ＡＣＫ信号を出力すると、ステップＦＢ０４を実行する。
【０１１４】
ステップＦＢ０４では、制御部２１３は、そのユーザデータを基地局送信部２１４に出力する。基地局送信部２１４は、そのユーザデータを受け付けると、そのユーザデータをＥ−ＤＣＨ−ＦＰ２７６で、無線ネットワーク制御装置１０１の受信部１１１に送信する。
【０１１５】
一方、制御部２１３は、ユーザデータを出力すると、ステップＦＢ０８を実行する。
【０１１６】
ステップＦＢ０５では、制御部２１３は、ＮＡＣＫ信号を生成し、そのＮＡＣＫ信号を無線送信部２１７に出力する。無線送信部２１７は、そのＮＡＣＫ信号を受け付けると、そのＮＡＣＫ信号をＥ−ＤＣＨ２５７（Ｅ−ＨＩＣＨ）で携帯端末３０１に送信する。
【０１１７】
携帯端末３０１は、そのＮＡＣＫ信号を受信すると、そのユーザデータを無線基地局装置２０１の無線受信部２１１に再送信する。
【０１１８】
一方、制御部２１３は、ＮＡＣＫ信号を出力すると、ステップＦＢ０６を実行する。
【０１１９】
ステップＦＢ０６では、制御部２１３は、基地局記憶部２１２に記憶された上限値を確認し、保持している再送回数がその上限値未満か否かを判定する。制御部２１３は、その再送回数がその上限値未満であると、ステップＦＢ０９を実行し、その再送回数がその上限値以上であると、ステップＦＢ０７を実行する。
【０１２０】
ステップＦＢ０７では、制御部２１３は、そのユーザデータを破棄する。制御部２１３は、そのユーザデータを破棄すると、ステップＦＢ０８を実行する。
【０１２１】
なお、このとき、制御部２１３は、ＮＡＣＫ信号の生成を行なわず、ユーザデータの再送処理を停止する。
【０１２２】
ステップＦＢ０８では、制御部２１３は、保持している再送回数を基地局送信部２１４に出力する。基地局送信部２１４は、その再送回数を受け付けると、その再送回数を、Ｅ−ＤＣＨ−ＦＰ２７６で無線ネットワーク制御装置１０１の受信部１１１に送信する。その後、受信部１１１がステップＦＲ００を実行する。
【０１２３】
ステップＦＢ０９では、制御部２１３は、保持している再送回数を１だけ増やす。制御部２１３は、再送回数を増やすと、待機状態になる。その後、無線受信部２１１がステップＦＢ０１を実行する。
【０１２４】
ステップＦＲ００では、受信部１１１は、無線基地局装置２０１から再送回数を受信し、その再送回数を更新部１１４に出力する。更新部１１４は、その再送回数を受け付けると、ステップＦＲ０１を実行する。
【０１２５】
なお、ステップＦＢ０４で、無線基地局装置２０１の基地局送信部２１４がユーザデータを送信した場合、受信部１１１は、そのユーザデータを受信し、そのユーザデータを処理部１１２に出力する。処理部１１２は、そのユーザデータを受け付けると、そのユーザデータを制御送信部１１６に出力する。制御送信部１１６は、そのユーザデータを受け付けると、そのユーザデータをコアネットワーク４０１に出力する。
【０１２６】
ステップＦＲ０１では、更新部１１４は、その再送回数に基づいて、目標ＳＩＲを計算する。更新部１１４は、目標ＳＩＲを計算すると、ステップＦＲ０２を実行する。
【０１２７】
ステップＦＲ０２では、更新部１１４は、その目標ＳＩＲを送信部１１５に出力する。送信部１１５は、その目標ＳＩＲをＤＣＨ−ＦＰ１５５で無線基地局装置２０１の基地局受信部２１５に送信する。
【０１２８】
基地局受信部２１５は、その目標ＳＩＲを受信すると、その目標ＳＩＲを設定部２１６に出力する。設定部２１６は、その目標ＳＩＲに、設定されている現在の目標ＳＩＲを更新する。
【０１２９】
その後、設定部２１６は、無線受信部２１１からユーザデータを受け付けると、そのユーザデータの受信ＳＩＲを測定する。設定部２１６は、その受信ＳＩＲがその設定されている目標ＳＩＲ以上か否かを判定する。
【０１３０】
続いて、設定部２１６は、その受信ＳＩＲがその目標ＳＩＲ以上であると、送信電力の減少を示すＴＰＣビットを生成し、一方、その受信ＳＩＲがその目標ＳＩＲ未満であると、送信電力の増加を示すＴＰＣビットを生成する。設定部２１６は、そのＴＰＣビットを無線送信部２１７に出力する。
【０１３１】
さらに、無線送信部２１７は、そのＴＰＣビットを受け付けると、そのＴＰＣビットをＤＣＨ２５５（具体的には、ＤＰＣＣＨ）で携帯端末３０１に送信する。
【０１３２】
その後、携帯端末３０１は、無線基地局装置２０１からＴＰＣビットを受信すると、そのＴＰＣビットに従って、送信電力を変更する。具体的には、携帯端末３０１は、送信電力の増加を示すＴＰＣビットを受信すると、送信電力を上げ、一方、送信電力の減少を示すＴＰＣビットを受信すると、送信電力を下げる。
【０１３３】
次に、更新部１１４の動作を具体的に説明する。
【０１３４】
図７は、更新部１１４の動作を説明するためのフローチャートである。
【０１３５】
図６のステップＦＲ０１で、更新部１１４は、再送回数を受け付けると、ステップＦＣ００を実行する。
【０１３６】
ステップＦＣ００では、更新部１１４は、記憶部１１３に記憶された判定回数「１３」を確認し、その再送回数が判定回数「１３」以上か否かを判定する。
【０１３７】
更新部１１４は、その再送回数がその判定回数「１３」以上であると、ステップＦＣ０１を実行し、その再送回数がその判定回数「１３」未満であると、ステップＦＣ０２を実行する。
【０１３８】
ステップＦＣ０１では、更新部１１４は、記憶部１１３から現在の目標ＳＩＲを取得し、その現在の目標ＳＩＲを目標ＳＩＲとする。更新部１１４は、ステップＦＣ０２を終了すると、ステップＦＲ０２を実行する。
【０１３９】
一方、ステップＦＣ０２では、更新部１１４は、記憶部１１３に記憶された基準回数を確認し、その再送回数がその基準回数以上か否を判定する。更新部１１４は、その再送回数がその基準回数以上であると、ステップＦＣ０４を実行し、その再送回数がその基準回数未満であると、ＦＣ０３を実行する。
【０１４０】
ステップＦＣ０３では、更新部１１４は、数１を用いて目標ＳＩＲを計算する。更新部１１４は、目標ＳＩＲを計算すると、ステップＦＲ０２を実行する。
【０１４１】
ステップＦＣ０４では、更新部１１４は、その再送回数が基準回数と等しいか否かを判定する。更新部１１４は、その再送回数が基準回数と等しいと、ステップＦＣ０１を実行し、その再送回数が基準回数と等しくないと、ステップＦＣ０５を実行する。
【０１４２】
ステップＦＣ０５では、更新部１１４は、その再送回数がその基準回数より小さいと判断して、数２を用いて目標ＳＩＲを計算する。更新部１１４は、目標ＳＩＲを計算すると、ステップＦＲ０２を実行する。
【０１４３】
本実施例によれば、無線基地局装置２０１の制御部２１３は、無線受信部２１１が受信したユーザデータの再送回数を計数する。基地局送信部２１４は、その再送回数を無線ネットワーク制御装置１０１に送信する。無線ネットワーク制御装置１０１の更新部１１４は、受信部１１１が受信した再送回数に基づいて、目標ＳＩＲを計算する。送信部１１５は、その目標ＳＩＲを無線基地局装置２０１に送信する。無線基地局装置２０１の基地局受信部２１５は、その目標ＳＩＲを受信する。設定部２１６は、その目標ＳＩＲに基づいて、携帯端末３０１の送信電力を制御する。
【０１４４】
この場合、目標ＳＩＲが、ユーザデータの再送回数に基づいて計算される。データの再送回数は、データが正常に受信されなかった回数を表すため、再送回数が多いほど通信品質が悪いことを表す。つまり、再送回数は、現在の通信品質に依存する。このため、Ｅ−ＤＣＨが使用されても、送信電力を適切な値に制御することが可能になる。
【０１４５】
また、本実施例では、更新部１１４は、その再送回数が記憶部１１３に記憶された基準回数より大きいと、現在の目標ＳＩＲより大きい値を目標ＳＩＲとして計算し、一方、その再送回数が記憶部１１３に記憶された基準回数より小さいと、現在の目標ＳＩＲより小さい値を目標ＳＩＲとして計算する。
【０１４６】
この場合、目標ＳＩＲが、再送回数が基準回数より大きいと、現在の目標ＳＩＲより大きくなり、再送回数が基準回数より小さいと、現在の目標ＳＩＲより小さくなる。このため、容易に通信品質の目標値を適切な値にすることが可能になる。
【０１４７】
次に、無線基地局装置が複数ある無線通信システムについて説明する。以下、主に図１ないし図７で説明した構成または動作と異なる構成または動作を説明する。
【０１４８】
図８は、無線基地局装置が複数ある無線通信システムを示したブロック図である。
【０１４９】
図８において、無線通信システムは、無線ネットワーク制御装置１０１と、無線基地局装置２０１ａないし２０１ｄとを含む。
【０１５０】
無線ネットワーク制御装置１０１は、無線基地局装置２０１ａないし２０１ｄと接続される。
【０１５１】
無線基地局装置２０１ａないし２０１ｄの少なくとも一つは、Ｈ−ＡＲＱを使用している。以下、少なくとも、無線基地局装置２０１ａはＨ−ＡＲＱを使用しているものとする。
【０１５２】
無線ネットワーク制御装置１０１の更新部１１４は、受信部１１１が無線基地局装置２０１ａから受信した再送回数に基づいて目標ＳＩＲを計算し、その目標ＳＩＲを送信部１１５に出力する。
【０１５３】
送信部１１５は、更新部１１４から目標ＳＩＲを受付けると、その目標ＳＩＲをＤＣＨ−ＦＰで無線基地局装置２０１ａないし２０１ｄのそれぞれに送信する。
【０１５４】
ＤＣＨ−ＦＰは、Ｈ−ＡＲＱを使用していない無線基地局装置とも通信が可能なチャネルである。このため、無線ネットワーク制御装置１０１は、再送回数を計数した無線基地局装置２０１ａだけでなく、無線基地局装置２０１ｂないし２０１ｄが、Ｈ−ＡＲＱを使用していても、Ｈ−ＡＲＱを使用していなくても、無線基地局装置２０１ａないし２０１ｄに目標ＳＩＲを通知することができる。
【０１５５】
本実施例によれば、送信部１１５は、目標ＳＩＲをＤＣＨ−ＦＰで無線基地局装置２０１ａないし２０１ｄに送信する。
【０１５６】
この場合、例えば、Ｈ−ＡＲＱが使用されていない無線基地局装置などの、再送回数を計数していない無線基地局装置に対しても、目標ＳＩＲを同時に送信することが可能になる。
【０１５７】
以上説明した実施例において、図示した構成は単なる一例であって、本発明はその構成に限定されるものではない。
【図面の簡単な説明】
【０１５８】
【図１】本発明の一実施例の無線通信システムを示したブロック図である。
【図２】無線ネットワーク制御装置および無線基地局装置を示したブロック図である。
【図３ａ】無線通信システムで用いられる通信チャネルの一例を説明するための説明図である。
【図３ｂ】トランスポートチャネルおよび物理チャネルの対応を示した説明図である。
【図４】無線ネットワーク制御装置の構成の一例を示したブロック図である。
【図５】無線基地局装置２０１の構成の一例を示したブロック図である。
【図６】無線通信システムの動作を説明するためのフローチャートである。
【図７】更新部の動作を説明するためのフローチャートである。
【図８】本発明の他の実施例の無線通信システムを示したブロック図である。
【図９】従来のＷ−ＣＤＭＡ移動通信システムを示したブロック図である。
【符号の説明】
【０１５９】
１０１    無線ネットワーク制御装置（ＲＮＣ）
１１１    受信部
１１２    処理部
１１３    記憶部
１１４    更新部
１１５    送信部
１１６    制御送信部
２０１    無線基地局装置（ＮｏｄｅＢ）
２１１    基地局受信部
２１２    基地局記憶部
２１３    制御部
２１４    基地局送信部
２１５    基地局受信部
２１６    設定部
２１７    無線送信部
３０１    携帯端末（ＵＥ）
４０１    コアネットワーク（ＣＮ）
【図１】
2008118514.tif 000005
【図２】
2008118514.tif 000006
【図３ａ】
2008118514.tif 000007
【図３ｂ】
2008118514.tif 000008
【図４】
2008118514.tif 000009
【図５】
2008118514.tif 000010
【図６】
2008118514.tif 000011
【図７】
2008118514.tif 000012
【図８】
2008118514.tif 000013
【図９】
2008118514.tif 000014